(57)【要約】【課題】下腿部全体を防護でき、犬などに噛まれても肉体に被害が及ぶことがなく、持ち運びにも有利なレッグガードを提供することにある。【解決手段】膝下から足首までの下腿部に巻装され、柔軟性のある素材で製作されたシート状本体２と、該シート状本体の外面側に敷き詰められ、各々が個々独立に該シート状本体に止着され、犬などが噛んだときに牙の貫通を阻止する強度を有する平板状防護ピース３と、上記シート状本体を下腿部に巻装した状態に維持しておくように上記シート状本体に設けられた留め具４とを有するようにする。【選択図】図１
2010031406.tif 000002
【特許請求の範囲】
【請求項１】
柔軟性のある素材で形成され、膝下から足首までの下腿部に巻装可能なシート状本体と、
前記シート状本体の前記巻装状態における外面側に略全面を覆うように前記シート状本体に止着された剛性を有する複数の平板状防護ピースと、
前記シート状本体を前記下腿部に巻装した状態を維持するために前記シート状本体に設けられた留め具と、
を有することを特徴とするレッグガード。
【請求項２】
前記平板状防護ピースは略四辺形を呈しており、
前記平板状防護ピースの前記止着は、
前記各平板状防護ピースの上下の縁辺部が互いに重なり合った状態に維持されるように、個々に一箇所で前記シート状本体に取付けられたことを特徴とする請求項１に記載のレッグガード。
【請求項３】
前記シート状本体はゴムシートにて形成されていることを特徴とする請求項１または２に記載のレッグガード。
【請求項４】
前記シート状本体は、前記巻装状態における内面側に布が張設されたことを特徴とする請求項１〜３の何れか１項に記載のレッグガード。
【請求項５】
前記平板状防護ピースは、前記巻装状態における外面側に少なくとも一つの刺状突起を有していることを特徴とする請求項１〜４の何れか１項に記載のレッグガード。
【発明の詳細な説明】
【技術分野】
【０００１】
本発明は、例えば下腿部を犬に噛まれた際に、犬の牙が下腿部の皮膚に達しないように防護するレッグガードに関する。
【背景技術】
【０００２】
例えば、電力、水道、ガスの検針員は、メーターの設置箇所によっては、やむを得ず契約者などの敷地内へ立ち入らなければならないことがあるが、犬が放してある場合、あるいは繋いであっても傍を通らなければならない場合、突然噛み付かれて思わぬ怪我を負ってしまったり、あるいは恐怖心が先立って仕事の遂行に支障を来たしてしまったりすることがある。
【０００３】
従来、このような被害をこうむらないよう、防護対策として、革製のレッグガードを下腿部に巻いて用いていた時期があったが、この革製のレッグガードは比較的重く、嵩張るため、装着したときに歩き難く、持ち運びに不便であった。そのうえ、この革製のレッグガードは、装着に時間と手間が掛かったり、噛まれたときに牙が皮膚に達してしまうことがあったり、見栄えが悪かったりしたため次第に使用されなくなった。
【０００４】
その後、犬などによる噛み付きに対する防護のための新たなレッグガードは、本願発明者が知る限り提案されていないが、他の用途でのレッグガードは種々提案されている。
【０００５】
例えば、実用新案登録第３０８６２４４号明細書には格闘技の防具として使用される衝撃緩衝用レッグガードが示されている。
【０００６】
【特許文献１】実用新案登録第３０８６２４４号公報
【発明の開示】
【発明が解決しようとする課題】
【０００７】
しかしながら、上記特許文献１に記載されているレッグガードは、すねの前面に対する衝撃緩衝用であるため、犬などによる噛み付きに対して下腿部を前も後ろも全体的に十分にカバーし防護できるものではない。犬は下腿部の、特に後部に噛み付く場合が多い。
【０００８】
その他に提案されている他用途のレッグガードも同様に噛み付きに対する防護用としては不充分であり、代替品として利用するには適当ではない。
【０００９】
そこで、本発明の目的は、下腿部の周囲全体を防護でき、たとえ犬などに噛まれても肉体に被害が及ぶことがなく、持ち運びにも有利なレッグガードを提供することにある。
【課題を解決するための手段】
【００１０】
上記課題を解決するため、請求項１に係るレッグガードは、
柔軟性のある素材で形成され、膝下から足首までの下腿部に巻装可能なシート状本体と、上記シート状本体の上記巻装状態における外面側に略全面を覆うように上記シート状本体に止着された剛性を有する複数の平板状防護ピースと、上記シート状本体を上記下腿部に巻装した状態を維持するために上記シート状本体に設けられた留め具とを有することを特徴とする。
【００１１】
この構成によれば、平板状防護ピースが柔軟性のある素材で製作されたシート状本体に個々に止着されていることにより、シート状本体の柔軟性は、少なくとも平板状防護ピースの各止着部以外の範囲で損なわれることなく維持され、したがってレッグガードを着用した際、シート状本体は下腿部の輪郭形状に適合して変形することができ、その結果、平板状防護ピースはシート状本体の外面側で下腿部全体を覆った状態で隙間なくカバーし、下腿部の何れの部分への犬などによる噛み付きに対しても平板状防護ピースが牙の侵入を阻止する。
【００１２】
また、本レッグガードは、平板状防護ピースがシート状本体に個々に止着されていることにより、レッグガードを下腿部から外したとき、平板状防護ピース間の箇所でシート状本体を上記外面側へ山折りに折り曲げることができ、したがってレッグガードを折り畳んで、持ち運びに有利であるように小さく纏めることができる。
【００１３】
請求項２に記載のレッグガードは、
上記平板状防護ピースは略四辺形を呈しており、上記平板状防護ピースの上記止着は、上記各平板状防護ピースの上下の縁辺部が互いに重なり合った状態に維持されるように、個々に一箇所で上記シート状本体に取付けられたことを特徴とする。
【００１４】
この構成によれば、シート状本体への平板状防護ピースの取付けが、シート状本体の柔軟性をほとんど損なうことなく行われ、それによってシート状本体は下腿部の輪郭にほぼ適合した変形が可能になり、したがって下腿部に対するレッグガードの装着が、よりフィットした状態で行うことができるようになる。その際、上下の平板状防護ピースの重複が犬の牙に侵入を、より効果的に阻止する。
【００１５】
請求項３に記載のレッグガードは、上記シート状本体がゴムシートにて形成されていることを特徴とする。
【００１６】
この構成によれば、シート状本体には柔軟性の他に伸縮性も与えられ、下腿部へのレッグガードの適合性すなわちフィット性がより向上する。
【００１７】
請求項４に記載のレッグガードは、上記シート状本体は、上記巻装状態における内面側に布が張設されたことを特徴とする。
【００１８】
この構成によれば、レッグガードを下腿部に着装したときに、夏場は布が汗を吸収し、冬場は布が保温性をもたらすので、年間を通じて良好な着装感を着装者に与えることができる。
【００１９】
請求項５に記載のレッグガードは、平板状防護ピースが、上記巻装状態における外面側に少なくとも一つの刺状突起を有していることを特徴とする。
【００２０】
この構成によれば、犬が噛み付いたときに、刺状突起が、傷みを伴った刺激を犬に与えるために、再度の噛み付きに嫌気や躊躇を生じさせるという効果をもたらす。
【発明の効果】
【００２１】
本発明のレッグガードによれば、犬などによる下腿部への噛み付きがあっても肉体へ被害が及ばないため、検針などの業務中に思わぬ負傷を受けたり、恐怖のため業務遂行に差し支えが生じたりすることが回避され、したがって、肉体的、精神的に及ぼされる負担がなくなり、業務の効率的遂行を図ることができるという効果が得られる。
【発明を実施するための最良の形態】
【００２２】
以下、図面に基づいて本発明の実施の形態について詳細に説明する。
【００２３】
図１は、第１の実施の形態に係るレッグガード１の正面図である。レッグガード１は、可撓性や柔軟性のある素材で製作されたシート状本体２と、多数の平板状防護ピース３と、留め具４とを有している。
【００２４】
シート状本体２はゴムシートにて形成されており、上縁２ａ、下縁２ｂ、左縁２ｃ、右縁２ｄを有するほぼ四辺形を呈している。上縁２ａおよび下縁２ｂの長さは、本レッグガードを使用する人の下腿部のふくらはぎ辺りの周長よりやや長くなされており、左縁２ｃおよび右縁２ｄの長さは、該下腿部の膝下から足首までの長さにほぼ相当している。また、シート状本体２は、左縁２ｃと右縁２ｄとの間の中央部において、左縁２ｃおよび右縁２ｄの下端より下方へ２〜３ｃｍ程度延伸しており、下縁２ｂは左縁２ｃおよび右縁２ｄの下端から下縁２ｂの中央部へ向けて傾斜した形になっている。下縁２ｂをこのように傾斜した形にすることにより、レッグガード１を下腿部へ装着する際、上記中央部を脛の後方側へ持ってくれば、シート状本体２は下記平板状防護ピース３と共に、アキレス腱までカバーすることができる。
【００２５】
平板状防護ピース３は、図１中のＡ部の拡大図である図２に示すように、上辺３ａ、下辺３ｂ、左辺３ｃ、右辺３ｄを有する四辺形状の板状体であって、各辺の長さは何れも３〜５ｃｍ、好ましくは約４ｃｍであり、板状体の厚さは３〜５ｍｍである。ただし、図１中の最下段に配列されている平板状防護ピース３については、シート状本体２の下縁２ｂが中央部へ向けて傾斜した形になっていることに伴い、下辺３ｂは上辺３ａに対してシート状本体２の下縁２ｂと同じ傾斜角度で傾斜しており、また、各平板状防護ピース３の左辺３ｃと右辺３ｄの高さ寸法は、各平板状防護ピース３が配置される箇所に応じて、平板状防護ピース３の下辺３ｂがシート状本体２の下縁２ｂに沿うように決められている。
【００２６】
平板状防護ピース３は剛性を有しており、プラスチックを成形することによって形成されている。使用されるプラスチックは、例えばポリ塩化ビニル、ポリスチレン、ポリメチルメタクリレート、ポリエチレン、ポリプロピレン、アクリル樹脂、ポリエチレンテレフラレート、ポリブチレンテレフタレート、ポリ乳酸、ナイロン−６、ポリカーボネート、ポリアセタールなどの硬質プラスチックである。
【００２７】
平板状防護ピース３は、図１に示すようにシート状本体２の外面側、すなわちシート状本体を下腿部に巻装した状態における外面側に、一部留め具４を設ける帯域を除いて、隙間なく全面を覆うように配列されており、しかもその配列は、図２および図２のＩＩＩ−ＩＩＩによる拡大尺断面図である図３に示すように、上下で隣り合う平板状防護ピースの上下の縁辺部が互いに重複するように行われている。
【００２８】
すなわち図２に示すように、平板状防護ピースの縦方向での配列に関しては、平板状防護ピース３1と３4の関係では、平板状防護ピース３4の上辺３ａ側の縁辺部が平板状防護ピース３1の下辺３ｂ側の縁辺部と、平板状防護ピース３4の上辺３ａ側の縁辺部が下側になるように重複している。この関係は、平板状防護ピース３2と３5の間、および平板状防護ピース３3と３6の間でも同様である。
【００２９】
平板状防護ピース同士の重複は、４ｃｍ角の平板状防護ピースの場合、各辺から０．５〜１．５ｃｍの範囲の長さで行われる。しかしながら、この範囲以外の長さでの重ね合いを行ってもよいことは勿論である。
【００３０】
平板状防護ピースの横方向での配列に関しては、図２および図２を平面的に見た図４に示すように、平板状防護ピース３1と３2の関係では、平板状防護ピース３1の右辺３ｄが平板状防護ピース３2の左辺３ｃと当接しており、同様に、平板状防護ピース３2の右辺３ｄと平板状防護ピース３3の左辺３ｃ、平板状防護ピース３4の右辺３ｄと平板状防護ピース３5の左辺３ｃ、平板状防護ピース３5の右辺３ｄと平板状防護ピース３6の左辺３ｃが互いに当接している。
【００３１】
平板状防護ピース３は、左辺３ｃと右辺３ｄとの間で、外面側へ凸になるように僅かに湾曲しており、これによってシート状本体２を下腿部に巻装したときに、平板状防護ピース３は下腿部の周辺でシート状本体２の湾曲に沿った状態になり、したがって下腿部の周方向の輪郭に沿って湾曲した状態になり、したがって平板状防護ピースは周方向に段差のない滑らかな連続外表面を形成する。
【００３２】
シート状本体２への平板状防護ピース３の止着は、図２に示すように、平板状防護ピースの左辺３ｃと右辺３ｄの中間部で、上辺３ａに寄った箇所において鋲（リベット）５によって行われる。鋲５は、図３に示すように、軸部５ａが平板状防護ピース３（３1，３4）に設けた貫通孔３ｅとシート状本体２に設けた貫通孔２ｅを貫いて延び、両端は拡径された半球状の頭部５ｂとなっている。鋲５によって平板状防護ピース３はシート状本体２へしっかりと締め付け接合される。鋲５は、強い力が掛かっても、平板状防護ピース３がシート状本体２から容易に脱落することがないように、比較的強力なものが使用される。材質は金属製、プラスチック製であることが好ましいが、他の材質のものでも利用可能である。
【００３３】
シート状本体２には、図３および図４に示すように、平板状防護ピース装着側である外面側とは反対側の内面側に、布６が全面にわたって張設してある。シート状本体２に対する布６の取付けは、シート状本体２の左縁２ｃと右縁２ｄ（図１参照）との間で所定の間隔置きに縫合や接着によって行われている。その場合、張設された布６がシート状本体２の伸縮作用を阻害しないよう、図４に示すように、布６には２つの隣り合う取付け部６ａ，６ａの間にギャザー部６ｂが設けられている。ギャザー部６ｂは、シート状本体２の伸縮を可能にする作用の他に、保温性や吸湿性を増大させるという作用ももたらす。
【００３４】
シート状本体２に設けられている留め具４は、本実施の形態では、図１に示すように、シート状本体２の２つの領域に設けられた面ファスナーにて形成されている。一方の領域は、シート状本体２の外面側における、左縁２ｃに沿って上縁２ａから下縁２ｂまで、且つ左縁２ｃから右縁２ｄへ向けて４〜８ｃｍのところまでの範囲であって、その範囲には、平板状防護ピース３は取付けられていない。他方の領域は、シート状本体２の内面側における、右縁２ｄに沿って上縁２ａから下縁２ｂまで、且つ右縁２ｄから左縁２ｃへ向けて２〜４ｃｍのところまでの範囲である。
【００３５】
上記一方の領域には、上縁２ａに近い上方部と、上縁２ａと下縁２ｂとの間の中央部と、下縁２ｂに近い下方部の３箇所に、２〜３ｃｍ幅の短冊状の面ファスナー４ａ１，４ａ２，４ａ３が横長に取付けられており、上記他方の領域には、右縁２ｄに沿って上縁２ａから下縁２ｂまで、２〜３ｃｍ幅の面ファスナー４ｂが縦長に取付けられている。一方の面ファスナー４ａ１，４ａ２，４ａ３と他方の面ファスナー４ｂは、押付けることによって互いに貼り付いて結合し、引き剥がすことによって結合を解く構造を有する、一般にマジックテープ（登録商標）として知られているものである。たとえば、一方の面ファスナー４ａ１，４ａ２，４ａ３はフック状に起毛された面を有し、他方の面ファスナー４ｂはループ状に起毛された面を有している。
【００３６】
上記一方の領域と他方の領域は、シート状本体２上で左右逆の位置に配置してもよい。すなわち、一方の領域を右縁２ｄの外面側に設け、他方の領域を左縁２ｃの内面側に設ける。
【００３７】
上述のように、面ファスナー４ａ１，４ａ２，４ａ３を横長に設け、面ファスナー４ｂを縦長に設けることにより、双方の面ファスナー同志の貼付け位置が、面ファスナー４ａ１，４ａ２，４ａ３の長さ範囲でそれぞれ比較的大幅に調整でき、したがって、レッグガード１を下腿部へ巻き付ける際、膝下、ふくらはぎ、足首の範囲でそれらの周長が異なっていても、双方の貼付け位置をそれぞれの範囲で調整してレッグガードを下腿部へぴったりと巻き付けた状態にすることができる。このようにレッグガードが下腿部にフィットする効果は、シート状本体２が伸縮可能のゴムシート製であることによって更に高められる。また、双方の面ファスナー同志の貼付け位置を比較的大幅に調整できることにより、下腿部の太さが様々に異なっている複数の利用者に対して、同じ寸法のレッグガードを適用することができる。
【００３８】
図５および図６は、本発明の第２の実施の形態を示すものであって、上述の第１の実施の形態と異なっているのは平板状防護ピースの構成であり、それ以外の構成については第１の実施の形態と同様である。
【００３９】
図５は第２の実施の形態による平板状防護ピース３０の正面図、図６は図３と同様の断面図であって、第２の実施の形態による平板状防護ピース３０は、その外面側に刺状突起３１を有している。４ｃｍ角の平板状防護ピース３０に対して、根元部の直径が３〜６ｍｍで高さが１〜３ｃｍの４個の刺状突起３１が平板状防護ピース３０の表面上に分散して設けてある。平板状防護ピース３０がプラスチック製である場合、刺状突起３１は平板状防護ピース３０の本体部と共に一体成形される。
【００４０】
このように設けた刺状突起３１は、下腿部にレッグガードを着装したときに、レッグガードの周囲全体から四方八方に突出した状態になる。このように装着したレッグガードに犬が噛み付いたとき、刺状突起３１は犬の口部に当り、犬に痛みを感じさせ、更なる噛み付きを躊躇させる。
【００４１】
図７は、第１の実施の形態によるレッグガード１を下腿部に巻き付けて装着した状態を示している。装着は、レッグガードの横方向中央部を下腿部の後ろ側に位置させ、面ファスナー４ａ１，４ａ２，４ａ３および面ファスナー４ｂを下腿部の前側へ持ってきて相互に貼り付けることによって行われる。この場合、レッグガードは、上述のように、下縁２ｂがレッグガードの横方向中央部へ向けて下方へ傾斜した形になっているので、下腿部の後ろ側ではアキレス腱の辺りまでシート状本体２と平板状防護ピース３によってカバーされ、万全な防護が達成される。
【００４２】
第２の実施の形態によるレッグガードを下腿部に巻き付けて装着した場合にも同様の防護効果が得られ、その際、刺状突起３１が防護効果をより高める。
【００４３】
本レッグガードは、ズボンの上からも装着できるが、ズボンの下に装着すれば、他人の目に触れることはなく、目立たない状態で使用することができる。
【００４４】
なお、本発明に係るレッグガードは、上記実施の形態に示した構成に限定されるものではなく、発明の要旨の範囲内で種々の変形が可能である。
【００４５】
たとえば、上記シート状本体２は、ゴムシート以外に、織成物や編成物で形成してもよい。例えば厚い生地の布帛を利用してもよい。その場合、布帛は一枚であってもよいし、複数枚を積層し一体化したものであってもよい。また、ゴムシート、織成物および編成物の何れか２つ、または全部を組み合わせてシート状本体としても良い。
【００４６】
上記平板状防護ピース３の寸法は上述のものに限定されるものではなく、必要に応じて大きくしたり小さくしたりすることができる。また、平板状防護ピース３は、プラスチック以外にも、金属材料、例えばステンレス鋼、アルミニウム合金、その他の合金で製作してもよく、あるいは必要な強度が得られれば木製であってもよい。
【００４７】
各平板状防護ピース３０に設ける上記刺状突起３１の寸法、個数、配列は、必要に応じて任意に選択、変更可能であり、またそれらの組み合わせも任意に行うことができる。
【００４８】
本発明に係るレッグガードは犬以外にも、例えば、蛇の噛み付きに対しても利用可能である。
【図面の簡単な説明】
【００４９】
【図１】本発明の第１の実施の形態によるレッグガードを展開した状態で示す正面図である。
【図２】図１中のＡ部の拡大尺図である。
【図３】図２中のＩＩＩ−ＩＩＩ線に沿う断面の拡大尺図である。
【図４】図２の平面図である。
【図５】本発明の第２の実施の形態によるレッグガードを構成する平板状防護ピースの正面図である。
【図６】図５の平板状防護ピースを用いて構成された第２の実施の形態によるレッグガードの図３と同様の断面図である。
【図７】第１の実施の形態によるレッグガードを巻き付けて装着した下腿部の斜視図である。
【符号の説明】
【００５０】
１  レッグガード
２  シート状本体
３，３０  平板状防護ピース
４  留め具
４ａ１，４ａ２，４ａ３，４ｂ  面ファスナー
５  鋲（リベット）
６  布
３１  刺状突起
【図１】
2010031406.tif 000003
【図２】
2010031406.tif 000004
【図３】
2010031406.tif 000005
【図４】
2010031406.tif 000006
【図５】
2010031406.tif 000007
【図６】
2010031406.tif 000008
【図７】
2010031406.tif 000009